(57)【要約】      （修正有）【課題】香水商品の入替えを要せずメンテナンスが容易で、売り場のチェックを要せず、埃や虫が溜まることがなく、購入時の手続きが簡易であり、手軽で魅力的な売り場づくりを実現できる香水販売用パネル什器を提供する。【解決手段】商品表示筐体１１と、商品表示筐体１１の内部に設置され前方側を照らす照射部と、商品表示筐体１１の前面に設置され照射部の光を透過する展示パネル１２と、展示パネル１２に設けられ商品の情報を表示する商品表示部１３と、展示パネル１２に設置され商品に対応する試供品３０及び展示パネル１２に設置され商品表示部１３に対応する注文カード５１とを備える香水販売用パネル什器１０により、上記課題を解決する香水販売用パネル什器１０を実現することができる。【選択図】図１
0003202687.tif 000002
【実用新案登録請求の範囲】
【請求項１】
商品表示筐体と、
前記商品表示筐体の内部に設置され、前方側を照らす照射部と、
前記商品表示筐体の前面に設置され、前記照射部の光を透過する展示パネルと、
前記展示パネルに設けられ、商品の情報を表示する商品表示部と、
前記展示パネルに設置され、前記商品に対応する試供品と前記商品表示部に対応する注文カードと、
を備えることを特徴とする香水販売用パネル什器。
【請求項２】
前記商品表示部は、前記展示パネルに着脱可能なシート体からなる請求項１に記載の香水販売用パネル什器。
【請求項３】
前記商品表示部は、略同一形状に区画されており、前記展示パネルの上下方向に配列される請求項１又は請求項２に記載の香水販売用パネル什器。
【請求項４】
前記試供品は、前記展示パネルの上下方向において、前記試供品の軸線が平行となるよう設置される試供品保持部により保持される請求項３に記載の香水販売用パネル什器。
【請求項５】
前記注文カードは、前記展示パネルに設けられる注文カード取出口及び前記展示パネル後方に立設される押さえ部により、前記注文カードの一端が前記展示パネルから突出するよう保持される請求項１から請求項４の何れか１項に記載の香水販売用パネル什器。
【請求項６】
前記試供品は、蓋部と内容物が収容される本体部とからなり、前記蓋部が前記試供品保持部に固着される請求項４に記載の香水販売用パネル什器。
【請求項７】
前記照射部は、前記展示パネルの横幅に対応した状態で前記商品表示部の後方に設置される請求項１から請求項６の何れか１項に記載の香水販売用パネル什器。
【考案の詳細な説明】
【技術分野】
【０００１】
本考案は香水販売用パネル什器に関し、特に店頭における香水商品の表示を存在感あるものとし、簡易で便利に香水商品を販売できるようにしたものである。
【背景技術】
【０００２】
従来の香水販売用の商品展示用ケースとしては、例えば、商品展示筺体内部に設けた陳列棚板に陳列される香水商品に対応して、商品展示筺体の前面に、各商品に対応する商品確認部を有する商品確認用棚を設け、商品確認部の香水商品表示カード、香水商品注文カード及び試供品容器によって、商品展示筺体内の香水商品を確認して購入できる香水展示ケースが公知である（特許文献１参照）。
【先行技術文献】
【特許文献】
【０００３】
【特許文献１】特開２００５−２１５７２号公報
【考案の概要】
【考案が解決しようとする課題】
【０００４】
しかしながら、特許文献１の香水販売用の商品展示用ケースでは、商品の現品をケースに入れて展示するため、商品の入替えを要しメンテナンスが大変であるという不便があった。また、顧客は香水商品に直接手を触れずに商品注文カードを抜き取るだけで商品の選定が可能であるが、商品の在庫は商品展示用ケース下部に収納されていることから、顧客がレジにて商品注文カードを提示した後、売場スタッフは在庫確認のため商品展示用ケースを直接チェックしなければならず、購入時の一連の手続きに無駄が生じていた。さらに、売場スタッフが在庫確認時に商品展示用ケース下部に陣取るため、他の顧客の邪魔になるという不都合が生じていた。加えて、展示用ケースに埃や虫が溜まるため、清掃の手間と負担が生じていた。
【０００５】
そこで、本考案はこのような問題点を解決するものであって、香水商品の入替えを要せずメンテナンスが容易で、売り場のチェックを要せず、埃や虫が溜まることがなく、購入時の手続きに無駄や不便を生じず、手軽でかつ魅力的な売り場づくりを実現する香水販売用パネル什器を提供することを課題とする。
【課題を解決するための手段】
【０００６】
前記問題点を解決するために、本考案の請求項１に記載の香水販売用パネル什器は、商品表示筐体と、前記商品表示筐体の内部に設置され、前方側を照らす照射部と、前記商品表示筐体の前面に設置され、前記照射部の光を透過する展示パネルと、前記展示パネルに設けられ、商品の情報を表示する商品表示部と、前記展示パネルに設置され、前記商品に対応する試供品と前記商品表示部に対応する注文カードと、を備えることを特徴とするものである。
【０００７】
また、本考案の請求項２に記載の香水販売用パネル什器は、請求項１に記載の香水販売用パネル什器において、前記商品表示部は、前記展示パネルに着脱可能なシート体からなることを特徴とするものである。
【０００８】
また、本考案の請求項３に記載の香水販売用パネル什器は、本考案の請求項１又は請求項２に記載の香水販売用パネル什器において、前記商品表示部は、略同一形状に区画されており、前記展示パネルの上下方向に配列されることを特徴とするものである。
【０００９】
また、本考案の請求項４に記載の香水販売用パネル什器は、本考案の請求項３に記載の香水販売用パネル什器において、前記試供品は、前記展示パネルの上下方向において、前記試供品の軸線が平行となるよう設置される試供品保持部により保持されることを特徴とするものである。
【００１０】
また、本考案の請求項５に記載の香水販売用パネル什器は、本考案の請求項１から請求項４の何れか１項に記載の香水販売用パネル什器において、前記注文カードは、前記展示パネルに設けられる注文カード取出口及び前記展示パネル後方に立設される押さえ部により、前記注文カードの一端が前記展示パネルから突出するよう保持されることを特徴とするものである。
【００１１】
また、本考案の請求項６に記載の香水販売用パネル什器は、本考案の請求項４に記載の香水販売用パネル什器において、前記試供品は、蓋部と内容物が収容される本体部とからなり、前記蓋部が前記試供品保持部に固着されることを特徴とするものである。
【００１２】
また、本考案の請求項７に記載の香水販売用パネル什器は、本考案の請求項１から請求項６の何れか１項に記載の香水販売用パネル什器において、前記照射部は、前記展示パネルの横幅に対応した状態で前記商品表示部の後方に設置されることを特徴とするものである。
【考案の効果】
【００１３】
本考案の香水販売用パネル什器では、商品の現品ではなく商品の情報を商品表示部に表示するため、香水商品の入替えを要せずメンテナンスが容易で、売り場のチェックを要しない。また、商品棚を設ける必要がないため、埃や虫が溜まらない。さらに、商品の在庫の収納部を設けていないため、購入時手続きにおける売場スタッフのレジと商品棚の間を行き来するという無駄な動きを回避するとともに、他の顧客の邪魔になるという不便を生ずることもない。加えて、商品表示部は照射部によって明るく照らされるため、売場での存在感を高め手軽でかつ魅力的な売り場づくりを実現する。
【図面の簡単な説明】
【００１４】
【図１】本考案の実施例における香水販売用パネル什器を２つ重ねて配置した場合の全体斜視図である。
【図２】本考案の実施例における香水販売用パネル什器の正面視部分拡大図である。
【図３】図２のＡ−Ａ断面図である。
【考案を実施するための形態】
【００１５】
以下、本考案の実施の形態における香水販売用パネル什器を図面に基づいて詳細に説明する。香水販売用パネル什器１０は、１つのユニットが横長直方体の筐体であって、正面は１枚の展示パネル１２を四隅においてパネル留め具１５で留めてなるものである。そして、筺体内部に設置される照射部２０が前方側の展示パネル１２の商品表示部１３を明るく照らすものである。このユニットは、通常、陳列棚に載せて配置する。
【００１６】
また、これに限定されることなく、香水販売用パネル什器１０は、１ユニットが縦長直方体の筺体であってもよい。さらに、１ユニットを単独で配置することもできるし、複数ユニットを上下に重ねて配置することも、左右に並べて配置することもできるのは勿論である。
【００１７】
当該香水販売用パネル什器１０は、１つのユニットを売り場の陳列棚に配置した状態において顧客が目視する展示パネル１２の設置面を正面とし、正面視において、その筐体の天井側を上方とする。また、筐体の横方向を香水販売用パネル什器１０の左右方向とする。さらに、筐体の展示パネル１２の設置面がある側を前方とし、これに対向する側を後方とする。
【実施例】
【００１８】
本考案の実施例に係る香水販売用パネル什器１０は、図１及び図２に示すように、主に、商品表示筐体１１と、商品表示筐体１１の内部に設置され前方側を照らす照射部２０と、商品表示筐体１１の前面に設置され照射部２０の光を透過する展示パネル１２と、展示パネル１２に設けられ商品の情報を表示する商品表示部１３と、展示パネル１２に設置され商品に対応する試供品３０と、展示パネル１２に設置され商品表示部１３に対応する注文カード５１より構成される。
【００１９】
そして、当該香水販売用パネル什器１０は、香水商品現品を展示するのではなく、その写真等を表示するように、例えば、アクリル製の商品表示筐体１１と光透過性の展示パネル１２とを組み合わせる等して構成される。香水販売用パネル什器１０は、その他、段ボール製や木製でもよく、展示パネル１２が商品の写真等を表示するのに適したものであれば、特に限定されるものではない。本実施例においては、香水販売用パネル什器１０はアクリル製の商品表示筐体１１に光透過性のアクリル板の展示パネル１２を覆設する構成としている。
【００２０】
また、当該香水販売用パネル什器１０は、顧客が展示パネル１２の各商品表示部１３に表示された香水製品の写真等による情報を複数の製品について同時に目視し、気に入った商品の試供品３０の香りを嗅ぎ、購入しようとする商品の注文カード５１を抜き取ってレジに差し出すことにより、所望の香水商品を購入することができるように設けられる。
【００２１】
商品表示筐体１１は、本考案の香水販売用パネル什器１０の外形をなすものであり、図１に示すように、上面・下面・左側面・右側面・後方面よりなる横長直方体の筐体である。横幅と縦の長さを一般的な売り場の定番棚サイズ（横幅９００ｍｍ、縦長さ３００ｍｍ）に合わせたものとすることができる。また、図２及び図３に示すように、その内部には後述する展示パネル１２を照らすための照射部２０を備えている。そして、その後方面には後述する照射部２０からの光照射による熱を商品表示筺体１１の外部へ逃がすための熱抜き穴Ｈを備えている。さらに、この商品表示筐体１１のサイズに合わせた横板（図示せず）を付けることで奥行きを持たせ、香水販売用パネル什器１０を売り場の棚に安定的に配置することができる。
【００２２】
展示パネル１２は、商品の情報を映し出すためのものであり、後述する商品表示部１３を備える。図１に示すように、展示パネル１２は、商品表示筐体１１の前面を覆うように配置され、正面四隅においてパネル留め具１５により固定される。展示パネル１２を商品表示筐体１１に固定する方法としては、ユリヤ化粧ネジ等によるネジ止めや嵌め込み等が可能であるが、展示パネル１２を商品表示筐体１１から取り外すことが可能な固定方法であれば特に限定されるものではない。
【００２３】
また、展示パネル１２は、後述する照射部２０から照射される光によって商品情報を明るく映し出すことを目的としているため、光を透過するもので、傷がつきにくく、壊れにくい材料で、高級感を併せ持つ、例えば透明または半透明のアクリル板等を用いることが望ましいが、これに限定されるものではない。
【００２４】
商品表示部１３は、商品名、商品の仕様、商品の外観写真等を表示するために設けられるものであり、通常、展示パネル１２に複数の略同一の区画を上下方向に配列されてなる。図１に示すように、例えば、展示パネル１２の上段に６個、下段に６個、商品ごとに区画を設けて商品情報を含むシート体１４を張り付けてなるもので、商品表示筐体１１の内部に備えた後述の照射部２０から光を照射することで商品表示部１３が確認できるようにしている。各商品表示部１３の大きさを略同一にして配列しているため、顧客はひと目で複数商品の情報を確認でき、目視による複数商品の比較を容易に行うことができる。
【００２５】
また、１枚の展示パネル１２に設ける商品表示部１３の数は、上段、下段とも適宜増減することができ、上下段に分けず大きな面積を商品表示部１３とすることもできる。このように商品表示部１３の大きさを適宜変更することにより、商品のプロモーションの自由度を高めることができる。
【００２６】
また、商品表示部１３における商品の表示は、薄膜フィルムに印刷等を施した張替え自在のシート体１４を用いることで、ブランドごとや売れ筋順等の並べ替えを容易に行うことができる。また、商品の現品を陳列する必要がないため、従来のように商品陳列やそのメンテナンスにかかる売場スタッフの手間を軽減させることができ、陳列棚に埃や虫が溜まることもない。なお、商品の表示は、上記張替え自在のシート体１４を用いる他、展示パネル１２の表面に直接ペイントする等、後述する照射部２０の光を透して商品を目視できるような方法により行われる。
【００２７】
照射部２０は、展示パネル１２を照らすためのものであり、商品表示筺体１１の内部に設置される。照射部２０は、例えば光素子２１を配置したテープライトを採用することができるが、蛍光灯等の光を照射するものであれば、特に限定されるものではない。図２に示すように、光素子２１は商品表示筐体１１の後方から前方を照らすように照射部２０に取り付けられ、照射部２０は商品表示筐体１１の内部の後方面に設置される。本実施例においては、１枚の横長の照射部２０に複数の光素子２１が間隔を置いて横一列に取り付けられるが、光素子２１の配置や取り付け数は適宜調節できる。また、照射部２０を商品表示部１３に対応するよう商品表示部１３ごとにその後方に設置すれば、商品ごとにその表示が明るく照らされる。このように、照射部２０は上記のように展示パネル１２全体が照らされるようなサイズとすることができるほか、商品表示部１３に対応したサイズとすることもできるし、設置位置については、商品表示筺体１１の内部の側面や天面とすることもできる。
【００２８】
上記のように照射部２０を商品表示部１３ごとに設置し、または展示パネル１２全体が照らされるように設置することにより、個々の商品や展示パネル１２の全体が明るく照らされることとなる。これにより、売り場における香水商品の存在感を高め、高級感を演出し、結果として香水商品に対する顧客の関心や興味を喚起することができる。
【００２９】
試供品３０は、顧客が購入商品選定の際に香水の香りを実際に嗅ぐためのものであり、図１〜３に示すように、商品ごとに商品表示部１３の試供品保持部４０に保持されて配置される。本実施例ではロールオンタイプのものを用いているが、これに限定されるものではなく、香水を浸み込ませたコットンや固形ジェルであってもよい。また、試供品３０の蓋部３１を後述する試供品保持部４０の筺体内部の底面に固着する構成としてもよく、このような構成にすれば、顧客は容易に本体部３２のみを取り出して香りを嗅ぐことが可能となる。また、蓋部３１は試供品保持部４０に固着されているため、試供品３０の盗難防止にも役立つ。
【００３０】
試供品３０の長手方向を軸線とした場合、本実施例では、図１に示すように、試供品３０の軸線が展示パネルの上下方向において平行となるように後述の試供品保持部４０を設置することにより、複数の顧客が同時に上段の試供品３０と下段の試供品３０を取り出そうとする場合であっても、ある程度の距離を保ってスムーズに取り出すことができ、外観上も試供品３０の配列のバランスが良く意匠性にも優れる。
【００３１】
試供品保持部４０は、試供品３０を展示パネル１２の各商品表示部１３に保持するためのものであり、図３に示すように、縦長円柱の上面を欠いた筐体を展示パネル１２から突設するように各商品表示部１３に設置する。試供品保持部４０の材料は、展示パネル１２と同様に、照射部２０から照射される光を透過するもので、傷がつきにくく、壊れにくい材料で、高級感を併せ持つ、例えば透明または半透明のアクリル板等を用いることが望ましいが、これに限定されるものではない。また、試供品保持部４０は、その長手方向を展示パネル１２に対して縦に設置する構成としてもよいし、横に設置する構成としてもよい。
【００３２】
注文カード５１は、商品名、価格、商品の写真等の商品情報を印刷したカードであり、顧客は購入しようとする商品の注文カード５１を抜き取り、レジに差し出して商品を受け取ることができる。本実施例では、図３に示すように、各商品表示部１３に設けられた後述の注文カード取出口５２から展示パネル１２の前方へカードの一端が突出するよう保持され、商品表示筐体１１内の上段棚５４、下段棚５５のそれぞれに立設した押さえ部５３がカードの他端を押さえる。このとき、上段棚５４、下段棚５５に立設する押さえ部５３の位置は、注文カード５１が水平を保ちながらその一端を注文カード取出口５２から突出する状態になるよう、注文カード取出口５２から商品表示筺体１１の内部へのカード差込み長さがカード全長の２／４〜３／４程度となる位置とするのが好ましい。
【００３３】
注文カード取出口５２は、注文カード５１を複数枚保持することができ、顧客が購入しようとする商品の注文カード５１を容易に抜き出せるようにしたものである。注文カード取出口５２の設置位置は、注文カード５１全体が展示パネル１２の外側に位置するような構造であってもよいし、展示パネル１２の一部にスリットを設ける構造であってもよい。
【００３４】
本実施例では、図１〜３に示すように、注文カード取出口５２をスリット状とし、顧客がカード記載事項を上から見て確認し易いようカードを上下に重ねて挿入している。このとき、押さえ部５３の大きさやその立設位置は、注文カード取出口５２から注文カード５１が水平に抜き出せるよう適宜調節するが、例えば、押さえ部５３の高さは注文カード取出口５２の上辺の位置よりも高くする必要があるが照射部２０からの光を妨げない程度の高さとするのが好ましい。このように注文カード取出口５２は細長いスリット状であるため、単純な構造でありながらも商品表示を遮ることなく洗練された外観を呈する。なお、注文カード取出口５２は、上記のようにカードを上下に重ねて挿入する横長のスリットとするほか、左右に重ねて挿入する縦長のスリットとしてもよい。
【００３５】
このようにして構成される香水販売用パネル什器１０は、１つのユニットを一般的な売り場の定番棚に設置することができる。また、商品表示筐体１１の上面、下面ともフラットであり、図１に示すように、複数のユニットを直接上下に重ねても安定して設置することが可能である。さらに、図には示していないが、商品表示筐体１１のサイズに合わせた横板を付けて奥行きを持たせることが可能であり、香水販売用パネル什器１０を安定的に設置することができる。
【００３６】
また、照射部２０の電源コンセントは香水販売用パネル什器１０の１つのユニットごとに設けて商品表示筐体１１の後方面の隅から配設しているため（図示せず）、正面から見えることはなく、意匠性を損なうことはない。
【００３７】
また、上述した実施例において、一部構成を省略することができるし、一部抽出した構成とすることができるのは勿論である。
【符号の説明】
【００３８】
１０  香水販売用パネル什器
１１  商品表示筐体
１２  展示パネル
１３  商品表示部
１４  シート体
１５  パネル留め具
２０  照射部
２１  光素子
３０  試供品
３１  蓋部
３２  本体部
４０  試供品保持部
５１  注文カード
５２  注文カード取出口
５３  押さえ部
５４  上段棚
５５  下段棚
Ｈ    熱抜き穴
【図１】
0003202687.tif 000003
【図２】
0003202687.tif 000004
【図３】
0003202687.tif 000005